(57)【特許請求の範囲】
【請求項１】
車両シート（１）であって、
前後調節装置（３）と、
構造体に固定された第１シートレール（５）と、この第１シートレール（５）内にシートの前後方向（ｘ）に案内され且つ車両シート（１）に接続された第２シートレール（８）とを有するシートレール対（５，８）と、
少なくとも１つの位置で前記第２シートレール（８）を越えて突出する少なくとも１つの作動ピン（１４）を有する解除可能なロック装置（１２）と、
旋回可能に配置された作動レバー（３７）と、
シース（３３ａ）及びコア（３３ｂ）を有するボーデンケーブル（３３）と
を備え、
前記第２シートレール（８）に固定され、且つ旋回軸（Ｓ）を中心に旋回させることができるように一端（３７ａ）で前記作動レバー（３７）を支持する保持部材（３５）が設けられ、
前記ボーデンケーブル（３３）のコア（３３ｂ）が前記シース（３３ａ）の端部と前記コア（３３ｂ）の端部の間の部分領域で当接する当接面が前記作動レバー（３７）上に形成され、
前記保持部材（３５）は前記ボーデンケーブル（３３）のコア（３３ｂ）の端部を固定し、
前記作動レバー（３７）は前記ボーデンケーブルのシース（３３ａ）が直接又は間接的に支持されるボーデンケーブル支持部（３７ｄ）を有する、車両シート。
【請求項２】
前記保持部材（３５）及び／又は前記作動レバー（３７）はプラスチック部品によって形成される、請求項１に記載の車両シート。
【請求項３】
前記作動レバー（３７）の当接面は溝（３７ｃ）によって形成される、請求項１又は請求項２に記載の車両シート。
【請求項４】
前記ボーデンケーブル（３３）上に長さ補償装置（３３ｃ）が設けられ、前記長さ補償装置が前記シース（３３ａ）と前記作動レバー（３７）のボーデンケーブル支持部（３７ｄ）との間に配置される、請求項１から３のいずれか１項に記載の車両シート。
【請求項５】
前記ボーデンケーブル（３３）はクリップ（３９）を用いて前記作動レバー（３７）に取り付けることができる、請求項１から４のいずれか１項に記載の車両シート。
【請求項６】
前記保持部材（３５）は２つの側方ガイド（３５ｃ）を有し、前記側方ガイドに対して前記作動レバー（３７）を配置し、前記旋回軸（Ｓ）を中心に旋回させることにより前記作動レバー（３７）を前記側方ガイドに対して相対的に移動させることができる、請求項１から５のいずれか１項に記載の車両シート。
【請求項７】
前記作動レバー（３７）は前記保持部材（３５）に設けられたシャフト（３５ｂ）に旋回可能に支持される、請求項１から６のいずれか１項に記載の車両シート。
【請求項８】
前記作動レバー（３７）のシャフト側端部（３７ａ）は一方の側が開いているように構成され、前記シャフト（３５ｂ）上に載る、請求項７に記載の車両シート。
【請求項９】
前記作動レバー（３７）は、前記旋回軸（Ｓ）から離間する端部（３７ｂ）を有し、前記端部は、少なくとも一部領域で前記コア（３３ｂ）用の当接面を形成する第１上側曲率を有し、且つ前記作動ピン（１４）用の当接面を形成する第２下側曲率を有する、請求項１から８のいずれか１項に記載の車両シート。
【請求項１０】
前記作動レバー（３７）は少なくとも１つの側方リブ（３７ｅ）を有する、請求項１から９のいずれか１項に記載の車両シート。
【発明の詳細な説明】
【技術分野】
【０００１】
本発明は、請求項１の前提部分の特徴を有する車両シート、特に自動車シートに関する。
【背景技術】
【０００２】
特許文献１には、シートクッションと、シートクッションを支持するシートフレームと、車両シートを前後調節するために作動させることができる前後調節装置と、前後調節装置に対するシートクッションの高さを調節するための高さ調節装置とを有する車両シートが開示されている。シートクッションの前端又はシートフレームの前端にはロック解除要素が配置され、ロック解除要素は前後調節装置に、それを手動で作動させるために作動的に接続される。作動的な接続はボーデンケーブルを用いて行うことができ、ボーデンケーブルのコアは、旋回可能に支持されたレバーの一端に直接接続され、引張力の伝達によってそれと協働する。この場合、レバーは、原理的には例えば特許文献２に開示されるように、ロック解除要素が引っ張られると旋回し、シートレールロック装置の突出作動ピン上に上方から他端と協働する。この場合、レバーの旋回軸はレバーの両端間に配置される。
【０００３】
このような配置は依然として不十分なところがある。
【０００４】
特許文献３は、ボーデンケーブルを用いて旋回させることができる作動レバーを有する自動車シート用の作動装置を開示している。ボーデンケーブルのコアは、この場合には作動レバーに固定される。作動レバーは、ボーデンケーブルによって作用されると、水平方向に延びる軸まわりの回転を受け、その結果、レバーを介して間接的にロック装置を作動させる。
【０００５】
同様に機能する作動装置が、特許文献４及び特許文献５に開示されている。
【先行技術文献】
【特許文献】
【０００６】
【特許文献１】独国特許発明第１０２００７０６２６３５号明細書
【特許文献２】国際公開第２０１００５１９０３号
【特許文献３】独国実用新案第２０３１８７８７号明細書
【特許文献４】独国特許出願公開第１０２００９０１０２２６号明細書
【特許文献５】独国特許出願公開第１０２００８０６０８２４号明細書
【発明の概要】
【発明が解決しようとする課題】
【０００７】
本発明の目的は、冒頭で述べたタイプの車両シート、特に自動車シートを改善することである。
【課題を解決するための手段】
【０００８】
この目的は、本発明によれば、請求項１に記載された特徴を有する車両シートにより達成される。従属請求項は、個別に又は互いに組み合わせて使用することができる有利な実施形態に関する。
【０００９】
本発明によれば、この場合、車両シート、特に自動車シートであって、前後調節装置を有し、構造体に固定された第１シートレールと、この第１シートレール内にシートの前後方向に案内され且つ車両シートに接続された第２シートレールとを有するシートレール対を有し、少なくとも１つの位置で第２シートレールを越えて突出する少なくとも１つの作動ピンを有する解除可能なロック装置を有し、旋回可能に配置された作動レバーを有し、シース及びコアを有するボーデンケーブルを有し、レールに固定され且つ旋回軸を中心に旋回させることができるように一端で作動レバーを支持する保持部材が設けられ、ボーデンケーブルのコアがシースの端部とコアの端部の間の部分領域で当接する当接面が作動レバー上に形成され、レールに固定された保持部材はボーデンケーブルのコアの端部を固定し、作動レバーはボーデンケーブルのシースが直接又は間接的に支持されるボーデンケーブル支持部を有する車両シートが提供される。
【００１０】
保持部材の端部におけるコアの懸架及び当接面へのコアの当接が、ボーデンケーブルの簡単な組み立てをもたらす。また、ボーデンケーブルのこの配置の結果として、保持部材における作動レバーの支持位置は、より少ない負荷しかかけられない。
【００１１】
保持部材及び／又は作動レバーは、好ましくは、プラスチック部品によって形成される。これにより、軽量化及びコスト削減が可能になる。
【００１２】
作動レバーの当接面は、好ましくは溝によって形成される。溝はコアの正確なガイドを確実にし、コアは、手を使った正確な位置決めが必要ないように、自動的に溝内に置かれるようになる。
【００１３】
好ましくは、ボーデンケーブル上に長さ補償装置が設けられ、長さ補償装置はシースとボーデンケーブル支持部との間に配置される。ボーデンケーブルの長さ補償装置のこの端部への配置は、特に公差を補償するために、ボーデンケーブルの簡単な取り付けと簡単な長さ補償を可能にする。
【００１４】
ボーデンケーブルは、クリップを用いて特に簡単な方法で作動レバーのボーデンケーブル支持部に取り付けることができる。これはボーデンケーブルの非常に簡単な組み立てを可能にする。
【００１５】
保持部材は、好ましくは２つの側方ガイドを有し、側方ガイドの間に作動レバーを配置し、旋回軸まわりに旋回させることによりそれを側方ガイドに対して相対的に移動させることができる。
【００１６】
詳細には、好ましくは、対応する側方ガイドに当接する少なくとも１つのリブが作動レバー上に横方向に設けられる。複数のリブを設けることも、詳細には作動レバーの両側に設けることもできる。リブは、作動レバーの剛性をさらに高め、軽量化を可能にする。
【００１７】
リブは、好ましくは旋回軸に対して同心円状に配置され、リブは、面に沿ってスライドすることができ、また、付加的な案内のための案内溝内に案内されることもできる。
【００１８】
作動レバーは、好ましくは、旋回可能にシャフトに支持される。シャフトは、好ましくは、保持部材上に設けられ又は作られ、保持部材の側面によって形成された２つの側方ガイドの間に横方向に延びる。
【００１９】
詳細には、作動レバーのシャフト側端部は、好ましくは、一方の側が開いているように構成され、シャフト上に載っている。このことは簡単な組み立て及び分解を可能にし、作動レバーは簡単な方法で、必要に応じて端部領域のアームのわずかな変形によって、配置することができる。
【００２０】
作動レバーは、好ましくは、旋回軸から離間する端部を有し、端部は、少なくとも一部領域でコア用の当接面を形成する第１上側曲率を有し、且つ作動ピン用の当接面を形成する第２下側曲率を有する。第１湾曲当接面は、コアの画定された湾曲を保証し、第２曲率は作動レバーとロック装置の作動ピンの突出端との可能な限り接線方向での当接を保証する。
【００２１】
作動レバーがリブを有し且つ保持部材の側方ガイドが案内溝を有し、且つ／又は作動レバーが案内溝を有し且つ保持部材の側方ガイドが旋回軸に対して同心円状に配置されたリブを有する場合、作動レバーの動作が保証される。特に好ましくは、リブは、作動レバーと作動ピンとの接触面の高さで作動レバー上に配置される。このことは、同時に、作動レバー全体を厚く作らなくても、接触領域において作動レバーの拡大された構成を可能にする。
【００２２】
このような車両シートは、例えば、乗用車又は実用車に使用することができ、それは必ずしも運転席である必要はない。このような車両シートは、好ましくは、前部シート列に設けられるが、例えば、バンを含め、中央又は後部シート列に設けてもよい。
【００２３】
図面に示された有利な実施形態を参照しながら、本発明を以下でより詳細に説明する。しかしながら、本発明はこの実施形態に限定されるものではない。
【図面の簡単な説明】
【００２４】
【図１】前後方向に調節可能な車両シートの下部構造の斜視図である。
【図２】移動領域の詳細な斜視図である
【図３】移動領域内の部品の分解斜視図である。
【図４】ロック状態における移動領域の側面図である。
【図５】ロック解除状態における移動領域の側面図である。
【図６】ロック解除状態における移動領域の断面図である。
【図７】２つのシートレール対を有する車両シートの概略側面図である。
【発明を実施するための形態】
【００２５】
自動車の車両シート１は前後調節装置３を有し、前後調節装置を用いて車両シート１を前後方向に調節することができ、すなわち、車両シートの縦方向（前後方向）の座席位置をシート縦方向ｘに調節することができる。シート縦方向ｘは、一般に走行方向と平行に延びている。手動で作動可能な前後調節装置３は、２つの車両シート側部のそれぞれに、自動車の車両構造体に接続された第１シートレール５と、関連する第１シートレール５に対してシート縦方向ｘに変位可能であり且つこの第１シートレール５にロックすることができる第２シートレール８とを有する。この場合、第１シートレール５と第２シートレール８は互いの周りに係合し、それらの実質的にＵ字形の輪郭部材は内側又は外側に屈曲した縦方向縁部を有し、詳細には示されていないボールベアリングケージ内に配置されたボールベアリングが介在している。
【００２６】
第１シートレール５と第２シートレール８をロックするために、それぞれの車両シート側部にはロック装置１２が設けられ、ロック装置は、第２シートレール８内にロック方向ｚに移動可能に案内され、第１シートレール５と協働するように構成される。ロック装置１２の構成に関しては、例えば、欧州特許第１２２７９５０号明細書が参照され、ロック装置はキャッチプレートを有し、キャッチプレートに歯が設けられ、キャッチプレートは第１シートレール５に対応して形成されたキャッチ用開口部にロックするために係合し、ロック動作を解除するためにこれらのキャッチ用開口部から下方へ押し出される。しかしながら、本実施形態の唯一の重要な特徴は、第２シートレール８を通って突出し、ロック動作を解除するためにキャッチプレートと協働する、作動ピン１４が設けられていることである。
【００２７】
前後調節装置３のロックを解除するために、下側シート側部の前方にハンドル３１が設けられ、ハンドルは、ｙ方向に延びる軸線を中心に旋回することができるように、対応するシートフレームに取り付けられる。ハンドル３１は、ロック装置１２のロックを解除するために、（第１）作動装置を形成する。シース３３ａ及びコア３３ｂを有するボーデンケーブル３３が、ハンドル作動動作の伝達のために設けられる。ハンドル３１から遠く離れたコア３３ｂの端部は太く作られ、レールに固定されたプラスチック材料の保持部材３５の一部であるサスペンション部材３５ａに懸架される。コア端部の保持部材３５への固定は、異なる方法で、例えば、コアを保持し且つ折り畳んでロックすることができる湾曲部材によって、又はコア端部に任意で設けられた開口部を通って突出するねじによって行うことができる。保持部材３５は、両側面間に横方向ｙに延び且つ旋回軸Ｓを形成するシャフト３５ｂを有する。保持部材３５のシャフト３５ｂ上に、作動レバー３７が旋回可能に取り付けられる。
【００２８】
作動レバー３７のシャフト側端部３７ａは、一方の側で開いているように構成される。他方のサスペンション側端部３７ｂは、厚く作られ、上側に横方向ｙに関して比較的大きな曲率半径で構成された溝３７ｃを有する。下側も、サスペンション側端部３７ｂは比較的大きな曲率半径で構成され、ロック装置１２を解除するために作動レバー３７が下方へ旋回して作動ピン１４を下方に押圧する場合でも、作動ピン１４の突出端部がこの領域の面と実質的に垂直に当接することが保証される。
【００２９】
ボーデンケーブル３３のコア３３ｂは溝３７ｃに配置され、すなわち、溝底面はこの場合、少なくともその長さの一部にわたって、曲面状に延びるコア３３ｂ用の当接面を形成する。ボーデンケーブル３３のシース３３ａは、図６に示すように、長さ補償装置３３ｃを介してボーデンケーブル支持部３７ｄに支持され、ボーデンケーブル支持部３７ｄのスロット内に案内され且つクリップ嵌めされたクリップ３９が、長さ補償装置３３ｃの領域で、ボーデンケーブル３３を作動レバー３７に固定する。
【００３０】
原理的には、シースが任意で作動レバー３７のボーデンケーブル支持部３７ｄ上に直接支持され得るように、長さ補償装置をボーデンケーブルの別の場所に設けてもよい。同様に、ボーデンケーブルのボーデンケーブル支持部への固定は、異なる方法で行うこともできる。
【００３１】
作動レバー３７の旋回運動は保持部材３５の側面によって案内され、すなわち、側面は作動レバー３７のための側方ガイド３５ｃを形成する。作動レバー３７の付加的な補強のために、この場合、作動レバー３７の側面に、この場合、旋回軸に対して同心円状に配置され且つ側方ガイド３５ｃに当接するリブ３７ｅが形成される。この場合、作動レバー３７上に３つのリブ３７ｅ（作動レバー３７の厚肉領域の端部のそれぞれにある１つ、及び作動レバー３７と作動ピン１４との接触面の高さにある中央の１つ）が設けられ、それにより、作動レバー３７は、作動レバー３７と作動ピン１４との接触領域でわずかに幅が広くなるように構成される。
【００３２】
或いは、付加的な案内のために、作動レバー３７の側面に旋回軸に対して同心円状に配置したリブ３７ｅに加えて、対応する案内溝を側方ガイド３５ｃ内に作ることができる。
【００３３】
或いは、ガイドを真っ直ぐになるように、すなわちリブを省略して作ることもできる。
【００３４】
この場合、保持部材３５は、一端が第２シートレール８に形成された開口に案内され、他端で保持部材３５と第２シートレール８の互いに位置合わせされた開口部に案内されたリベット４１によって固定される。しかしながら、保持部材３５の固定は、他の任意の方法で、例えば２つのリベット又はねじによって行うこともできる。
【００３５】
この場合、保持部材３５も作動レバー３７も、プラスチック射出成形部品として構成される。しかしながら、それらは、例えば軽金属又は複合材料などの他の適当な材料を含むことができる。詳細には、シャフト３５ｂを金属ピンから形成することができ、金属ピンは射出され又はその後に挿入される。
【００３６】
作用は以下のとおりである。ハンドル３１が作動されると、シース３３ａ及びコア３３ｂを相対的に移動させることによってボーデンケーブル３３を介した作動の伝達が行われる。この場合、シース３３ａがボーデンケーブル支持部３７ｄに支持されるのに対して、コア３３ｂは、コア端部が保持部材３５のサスペンション部材３５ａに保持された状態でシース部３３ａ内に引き込まれるように引っ張られる。コア３３ｂの「短縮」の結果として、作動レバー３７は旋回軸Ｓの周りを回転し、サスペンション側端部３７ｂが下方に押圧され（図５参照）、ロック装置１２の作動ピン１４を上方から押圧する。キャッチプレートは、それによって下方へ押圧され、シートレールのロック動作が解除されて車両シート１がその前後方向の位置を変位させることができるように、キャッチ用開口部から押し出される。作動レバー３７の最外端部での当接面上のコア３３ｂの移動、及び作動レバー３７のサスペンション側端部３７ｂの中央領域への接触面の配置が、さらにロック解除動作に必要な引張力の変換をもたらす。
【００３７】
ハンドル３１を再び解除すると、シース３３ａ及びコア３３ｂは、対応する弾性プレテンションの結果として、再びその最初の位置（図４参照）に移動し、それにより、作動ピン１４上の力は終了し、キャッチプレートは、ロック装置１２が再びロックされるように、引張ばねの力で再び歯の間のキャッチ用開口部に引き込まれる。
【００３８】
作動レバー３７の幅と保持部材３５の側方ガイド３５ｃの配置の適切な構成によって、原理的には、作動レバー３７の対応する湾曲側面がコア３３ｂ用の当接面を直接形成することができるように、作動レバー３７の溝３７ｃを省略することができる。
【００３９】
例えば、イージーエントリー位置を取るように車両シート１を完全に前方に移動させるために背もたれを前方に折り畳む動作に連結された追加のボーデンケーブルによって、（第２）作動装置を設けることができる。詳細には示されていないこの第２作動装置も、それ相応にロック装置１２と協働することができる。この目的のために、作動レバー３７は任意で第２溝を有し、保持部材３５は第２ボーデンケーブルのコアを受け入れるための第２サスペンション３５ａを有する。
【００４０】
上述した構成の代わりに、ボーデンケーブル３３のシース３３ａを、保持部材３５上の支持体に固定することもできる。
【００４１】
原理的には、第２シートレールと保持部材の一体構成も考えられ、この目的のために、シートレールは、例えば、作動レバーを支持するシャフト及びコア端部用サスペンションと共に、隆起した材料の領域によって形成された対応する側方ガイドを有する。
【００４２】
保持部材３５の側方ガイド３５ｃの十分に高い形状によって、ロック解除システムが作動又は損傷するのを防ぐキック防止システムをさらにもたらすことができる。
【００４３】
上記の明細書、特許請求の範囲及び図面に開示された特徴は、その様々な実施形態において個別にでも共にでも本発明の実施のために重要である。
【符号の説明】
【００４４】
１  車両シート
３  前後調節装置
５  第１シートレール
８  第２シートレール
１２  ロック装置
１４  作動ピン
３１  ハンドル
３３  ボーデンケーブル
３３ａ  シース
３３ｂ  コア
３３ｃ  長さ補償装置
３５  保持部材
３５ａ  サスペンション部材
３５ｂ  シャフト
３５ｃ  側方ガイド
３７  作動レバー
３７ａ  シャフト側端部
３７ｂ  サスペンション側端部
３７ｃ  溝
３７ｄ  ボーデンケーブル支持部
３７ｅ  リブ
３９  クリップ
４１  リベット
Ｓ  旋回軸
ｘ  ｘ方向、シート縦方向
ｙ  ｙ方向、横方向
ｚ  ｚ方向、ロック方向
【図１】
0005799169.tif 000002
【図２】
0005799169.tif 000003
【図３】
0005799169.tif 000004
【図４】
0005799169.tif 000005
【図５】
0005799169.tif 000006
【図６】
0005799169.tif 000007
【図７】
0005799169.tif 000008